(57)【特許請求の範囲】
【請求項１】
複数種類の図柄が外周に表示された第１〜第３回転リールと、
前記第１〜第３回転リールにそれぞれ表示された図柄が臨む表示窓とを有し、
前記表示窓には、少なくともｎ行３列の図柄表示領域を有し、
前記３列のうち、第１列目の図柄表示領域には、前記第１回転リールが臨み、
第２列目の図柄表示領域には、前記第２回転リールが臨み、
第３列目の図柄表示領域には、前記第３回転リールが臨み、
前記第１〜第３列目の図柄表示領域の前記各行には、当該列に臨む前記各回転リールの図柄それぞれ停止可能なスロットマシンにおいて、
前記ｎ行を、４行以上とし、
前記図柄表示領域には、
前記第１列目の図柄表示領域の第１行目に位置する第１領域と、
前記第１列目の図柄表示領域の第２行目に位置する第２領域と、
前記第１列目の図柄表示領域の第３行目に位置する第３領域と、
前記第１列目の図柄表示領域の第４行目に位置する第４領域と、
前記第２列目の図柄表示領域の第１行目に位置する第５領域と、
前記第２列目の図柄表示領域の第２行目に位置する第６領域と、
前記第２列目の図柄表示領域の第３行目に位置する第７領域と、
前記第２列目の図柄表示領域の第４行目に位置する第８領域と、
前記第３列目の図柄表示領域の第１行目に位置する第９領域と、
前記第３列目の図柄表示領域の第２行目に位置する第１０領域と、
前記第３列目の図柄表示領域の第３行目に位置する第１１領域と、
前記第３列目の図柄表示領域の第４行目に位置する第１２領域とを有し、
前記表示窓には、
前記第３、第７、第１１領域を横切る第１ラインと、
前記第２、第６、第１０領域を横切る第２ラインと、
前記第４、第８、第１２領域を横切る第３ラインと、
前記第１，第６，第１１領域を横切る第４ラインと、
前記第２，第７，第１２領域を横切る第５ラインと、
前記第３，第６，第９領域を横切る第６ラインと、
前記第４，第７，第１０領域を横切る第７ラインと、
前記第１、第５、第９領域を横切る第８ラインとのうち、７本のラインを表示するとともに、残りのラインを非表示として、
前記非表示のラインが横切る領域には、抽選の結果、ビッグボーナスやレギュラーボーナスのフラグが成立した場合に、次回のゲームに、ビッグボーナス図柄やレギュラーボーナス図柄が揃う確率が高いことを意味するリーチ図柄を表示し、
前記表示窓には、前記非表示のラインに相当する位置に、前記非表示のラインを他のラインと異なる色で表示するためのフィルターを臨ませており、このフィルターを通して、前記非表示のライン上の図柄を視認可能になっていることを特徴とするスロットマシン。
【請求項２】
複数種類の図柄が外周に表示された第１〜第３回転リールと、
前記第１〜第３回転リールにそれぞれ表示された図柄が臨む表示窓とを有し、
前記表示窓には、少なくともｎ行３列の図柄表示領域を有し、
前記３列のうち、第１列目の図柄表示領域には、前記第１回転リールが臨み、
第２列目の図柄表示領域には、前記第２回転リールが臨み、
第３列目の図柄表示領域には、前記第３回転リールが臨み、
前記第１〜第３列目の図柄表示領域の前記各行には、当該列に臨む前記各回転リールの図柄それぞれ停止可能なスロットマシンにおいて、
前記ｎ行を、４行以上とし、
前記図柄表示領域には、
前記第１列目の図柄表示領域の上方に位置する第１領域と、
前記第１領域の下方に位置する第２領域と、
前記第２領域の下方に位置する第３領域と、
前記第３領域の下方に位置する第４領域と、
前記第２列目の図柄表示領域の上方に位置する第５領域と、
前記第５領域の下方に位置する第６領域と、
前記第６領域の下方に位置する第７領域と、
前記第７領域の下方に位置する第８領域と、
前記第３列目の図柄表示領域の上方に位置する第９領域と、
前記第９領域の下方に位置する第１０領域と、
前記第１０領域の下方に位置する第１１領域と、
前記第１１領域の下方に位置する第１２領域と、
前記第１領域の上方又は第４領域の下方のいずれか少なくとも一方に位置し、第１回転リールの図柄の少なくとも一部が見える第１３領域と、
前記第５領域の上方又は第８領域の下方のいずれか少なくとも一方に位置し、第２回転リールの図柄の少なくとも一部が見える第１４領域と、
前記第９領域の上方又は第１２領域の下方に位置し、第３回転リールの図柄の少なくとも一部が見える第１５領域とを少なくとも有し、
前記表示窓には、
前記第３、第７、第１１領域を横切る第１ラインと、
前記第２、第６、第１０領域を横切る第２ラインと、
前記第４、第８、第１２領域を横切る第３ラインと、
前記第１、第６、第１１領域を横切る第４ラインと、
前記第２，第７，第１２領域を横切る第５ラインと、
前記第３、第６、第９領域を横切る第６ラインと、
前記第４，第７，第１０領域を横切る第７ラインとを有し、
前記第１３〜１５領域には、抽選の結果、ビッグボーナスやレギュラーボーナスのフラグが成立した場合に、次回のゲームに、ビッグボーナス図柄やレギュラーボーナス図柄が揃う確率が高いことを意味するリーチ図柄を表示し、
前記表示窓には、前記第１３〜１５領域に相当する位置に、前記第１３〜１５領域を他の領域と異なる色で表示するためのフィルターを臨ませており、このフィルターを通して、前記第１３〜１５領域上の図柄を視認可能になっていることを特徴とするスロットマシン。
【発明の詳細な説明】
【０００１】
【発明の属する技術分野】
この発明は、スロットマシンに関し、４行以上で且つ３列以上の表示が可能であり、特にリーチ図柄をわかり易く表示することができるようにしたものである。
【０００２】
【従来の技術】
従来、スロットマシンには、メダルを１枚投入すると、１ラインが有効となり、２枚投入すると、３ラインが有効となり、３枚投入すると、５ラインが有効となる。
【０００３】
【発明が解決しようとする課題】
しかし、上記した従来のスロットマシンでは、ライン数が少なく変化に乏しいという問題点があった。
また、ライン数を増加することができるようにしたスロットマシンとしては、例えば実公平６−５８２４号公報や特開平１０−４３３８８号公報に記載されたものもある。
【０００４】
しかし、従来のスロットマシンは、表示窓に表示される図柄が３行３列で、変化に乏しく、又、ラインも複雑となり、遊技者にわかり難いという問題点がある。
また、本願出願人は、特願平１０−１４１６３４号により、４行３列表示が可能なスロットマシンを既に提案している。
【０００５】
上記本願出願人のスロットマシンにより、遊技者にわかり易くライン数を増加することができたが、ライン数を増加すると、リーチ図柄がわかり難くなる傾向があるという新たな課題を認識した。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、リーチ図柄をわかり易く表示することができるようにしたものである。
（請求項２）
請求項２に記載の発明は、次の点を目的とする。
【０００６】
すなわち、請求項２に記載の発明は、リーチ図柄の一部を表示窓に表示させることで、リーチ図柄をわかり易く表示することができるようにしたものである。
【０００７】
【０００８】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【０００９】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の４つの点を特徴とする。
【００１０】
第１に、ｎ行を、例えば図１に示すように、４行とする。
第２に、図柄表示領域(60)には、例えば図１に示すように、次の計１２個の領域（1〜12）を有する。
（１）第１領域(1)
第１領域(1)は、例えば図１に示すように、第１列目の図柄表示領域(61)の第１行目に位置する。
【００１１】
（２）第２領域(2)
第２領域(2)は、例えば図１に示すように、第１列目の図柄表示領域(61)の第２行目に位置する。
（３）第３領域(3)
第３領域(3)は、例えば図１に示すように、第１列目の図柄表示領域(61)の第３行目に位置する。
【００１２】
（４）第４領域(4)
第４領域(4)は、例えば図１に示すように、第１列目の図柄表示領域(61)の第４行目に位置する。
（５）第５領域(5)
第５領域(5)は、例えば図１に示すように、第２列目の図柄表示領域(62)の第１行目に位置する。
【００１３】
（６）第６領域(6)
第６領域(6)は、例えば図１に示すように、第２列目の図柄表示領域(62)の第２行目に位置する。
（７）第７領域(7)
第７領域(7)は、例えば図１に示すように、第２列目の図柄表示領域(62)の第３行目に位置する。
【００１４】
（８）第８領域(8)
第８領域(8)は、例えば図１に示すように、第２列目の図柄表示領域(62)の第４行目に位置する。
（９）第９領域(9)
第９領域(9)は、例えば図１に示すように、第３列目の図柄表示領域(63)の第１行目に位置する。
【００１５】
（１０）第１０領域(10)
第１０領域(10)は、例えば図１に示すように、第３列目の図柄表示領域(63)の第２行目に位置する。
（１１）第１１領域(11)
第１１領域(11)は、例えば図１に示すように、第３列目の図柄表示領域(63)の第３行目に位置する。
【００１６】
（１２）第１２領域(12)
第１２領域(12)は、例えば図１に示すように、第３列目の図柄表示領域(63)の第４行目に位置する。
第３に、表示窓(50)には、例えば図１に示すように、次の計８本のライン（71〜78）のうち、７本のラインを表示する。
【００１７】
例えば、図１に示す実施の形態では、第１〜第７ライン（71〜77）を表示している。
（１）第１ライン(71)
第１ライン(71)は、例えば図１に示すように、第３、第７、第１１領域(3,7,11)を横切る。
【００１８】
（２）第２ライン(72)
第２ライン(72)は、例えば図１に示すように、第２、第６、第１０領域(2,6,10)を横切る。
（３）第３ライン(73)
第３ライン(73)は、例えば図１に示すように、第４、第８、第１２領域(4,8,12)を横切る。
【００１９】
（４）第４ライン(74)
第４ライン(74)は、例えば図１に示すように、第１、第６、第１１領域(1,6,11)を横切る。
（５）第５ライン(75)
第５ライン(75)は、例えば図１に示すように、第２，第７，第１２領域(2,7,12)を横切る。
【００２０】
（６）第６ライン(76)
第６ライン(76)は、例えば図１に示すように、第３，第６，第９領域(3,6,9)を横切る。
（７）第６ライン(77)
第７ライン(77)は、例えば図１に示すように、第４，第７，第１０領域(4,7,10)を横切る。
【００２１】
（８）第８ライン(78)
第８ライン(78)は、例えば図１に示すように、第１，第５，第９領域(1,5,9)を横切る。
第４に、残るラインが横切る領域には、リーチ図柄を表示するようにしている。
【００２２】
なお、上記リーチ図柄の表示は、次回のゲームに、いわゆるビッグボーナス図柄や、いわゆるレギュラーボーナス図柄が揃う確率が高いことを意味し、次回のゲームにビッグボーナス図柄やレギュラーボーナス図柄が必ず揃うことを意味するわけではない。また、リーチ図柄は、抽選の結果、ビッグボーナスやレギュラーボーナスのフラグが成立した場合に表示されることが多いが、フラグの成立とは必ずしも一致するものではない。
【００２３】
さらに、リーチ図柄は、第８ライン(78)に毎ゲーム毎に表示しても良いが、一般的には、当該ゲームにおいてリーチ図柄を表示するか否かを乱数の抽選により決定している。
例えば、図１に示す実施の形態では、非表示の第８ライン(78)に、リーチ図柄を表示している。
【００２４】
なお、非表示のラインは、第８ライン(78)に限定されるものでない。
また、表示窓(50)には、例えば図４に示すように、フィルター(90)を臨ませている。
（請求項２）
請求項２に記載の発明は、次の４つの点を特徴とする。
第１に、ｎ行を、例えば図１に示すように、４行とする。
第２に、図柄表示領域(60)には、例えば図５に示すように、次の計１５個の領域を少なくとも有する。
【００２５】
なお、各領域の番号は、実施の形態の番号と一致させたものであり、本発明の技術的範囲を限定するものではない。
（１）第１領域(1)
第１領域(1)は、例えば図５に示すように、第１列目の図柄表示領域(61)の上方に位置する。
（２）第２領域(2)
第２領域(2)は、例えば図５に示すように、第１領域(1)の下方に位置する。
【００２６】
（３）第３領域(3)
第３領域(3)は、例えば図５に示すように、第２領域(2)の下方に位置する。
（４）第４領域(4)
第４領域(4)は、例えば図５に示すように、第３領域(3)の下方に位置する
（５）第５領域(5)
第５領域(5)は、例えば図５に示すように、第２列目の図柄表示領域(62)の上方に位置する。
（６）第６領域(6)
第６領域(6)は、例えば図５に示すように、第５領域(5)の下方に位置する。
【００２７】
（７）第７領域(7)
第７領域(7)は、例えば図５に示すように、第６領域(6)の下方に位置する。
（８）第８領域(8)
第８領域(8)は、例えば図５に示すように、第７領域(7)の下方に位置する。
（９）第９領域(9)
第９領域(9)は、例えば図５に示すように、第３列目の図柄表示領域(63)の上方に位置する。
（１０）第１０領域(10)
第１０領域(10)は、例えば図５に示すように、第９領域(9)の下方に位置する。
【００２８】
（１１）第１１領域(11)
第１１領域(11)は、例えば図５に示すように、第１０領域(10)の下方に位置する。
（１２）第１２領域(12)
第１２領域(12)は、例えば図５に示すように、第１１領域(11)の下方に位置する。
【００２９】
（１３）第１３領域(13)
第１３領域(13)は、例えば図５に示すように、第１領域(1)の上方又は第４領域(4)の下方のいずれか一方に位置し、第１回転リール(31)の図柄(40)の少なくとも一部が見える。
図５に示す実施の形態では、第１３領域(13)に図柄(40)の２／３程度を見えるようにしたが、これに限らず、図柄(40)全体が見えるようにしても良い。
【００３０】
（１４）第１４領域(14)
第１４領域(14)は、例えば図５に示すように、第５領域(5)の上方又は第８領域(8)の下方のいずれか一方に位置し、第２回転リール(32)の図柄(40)の少なくとも一部が見える。
図５に示す実施の形態では、第１４領域(14)に図柄(40)の２／３程度を見えるようにしたが、これに限らず、図柄(40)全体が見えるようにしても良い。
【００３１】
（１５）第１５領域(15)
第１５領域(15)は、例えば図５に示すように、第９領域(9)の上方又は第１２領域(12)の下方のいずれか一方に位置し、第３回転リール(33)の図柄(40)の少なくとも一部が見える。
図５に示す実施の形態では、第１５領域(15)に図柄(40)の２／３程度を見えるようにしたが、これに限らず、図柄(40)全体が見えるようにしても良い。
【００３２】
第３に、表示窓(50)には、例えば図５に示すように、次の７本のラインを表示する。
なお、各ラインの番号は、実施の形態の番号と一致させたものであり、本発明の技術的範囲を限定するものではない。
（１）第１ライン(71)
第１ライン(71)は、例えば図５に示すように、第３、第７、第１１領域(3,7,11)を横切る。
【００３３】
（２）第２ライン(72)
第２ライン(72)は、例えば図５に示すように、第２、第６、第１０領域(2,6,10)を横切る。
（３）第３ライン(73)
第３ライン(73)は、例えば図５に示すように、第４、第８、第１２領域(4,8,12)を横切る。
【００３４】
（４）第４ライン（74）
第４ライン（74）は、例えば図５に示すように、第１、第６、第１１領域（1,6,11）を横切る。
（５）第５ライン(75)
第５ライン(75)は、例えば図５に示すように、第２、第７、第１２領域(2,7,12)を横切る。
（６）第６ライン（76）
第６ライン（76）は、例えば図５に示すように、第３、第６、第９領域（3,6,9）を横切る。
（７）第７ライン(77)
第７ライン(77)は、例えば図５に示すように、第４，第７，第１０領域(4,7,10)を横切る。
【００３５】
第４に、第１３〜１５領域（13〜15）には、例えば図５に示すように、リーチ図柄を表示するようにしている。
なお、上記リーチ図柄の表示は、次回のゲームに、いわゆるビッグボーナス図柄や、いわゆるレギュラーボーナス図柄が揃う確率が高いことを意味し、次回のゲームにビッグボーナス図柄やレギュラーボーナス図柄が必ず揃うことを意味するわけではない。また、リーチ図柄は、抽選の結果、ビッグボーナスやレギュラーボーナスのフラグが成立した場合に表示されることが多いが、フラグの成立とは必ずしも一致するものではない。
【００３６】
さらに、リーチ図柄は、第１３〜１５領域（13〜15）に毎ゲーム毎に表示しても良いが、一般的には、当該ゲームにおいてリーチ図柄を表示するか否かを乱数の抽選により決定している。
また、表示窓(50)には、例えば図６に示すように、フィルター(90)を臨ませている。
【００３７】
【００３８】
【発明の実施の形態】
（図面の説明）
図１〜３は、本発明の実施の形態の一例を示し、スロットマシンの表示窓をそれぞれ示す正面図を示すものである。
図１は、メダルを３枚投入した状態示すものである。
【００３９】
図２〜３は、図１にそれぞれ対応し、図２はメダルを１枚投入した状態、図３はメダルを２枚投入した状態をそれぞれ示すものである。
図４は、本発明の第２実施の形態の一例を示し、スロットマシンの表示窓を示す正面図を示すものである。
図５は、本発明の第３実施の形態の一例を示し、スロットマシンの表示窓を示す正面図を示すものである。
【００４０】
図６は、本発明の第４実施の形態の一例を示し、スロットマシンの表示窓を示す正面図を示すものである。
（スロットマシン）
図中、20は、スロットマシンを示すものである。
上記スロットマシン20の内部には、図１に示すように、第１〜第３の３個回転リール31〜33を有し、各回転リール31〜33の外周には、複数種類の図柄40が表示されている。
（表示窓50）
また、スロットマシン20の正面には、図１に示すように、第１〜第３回転リール31〜33にそれぞれ表示された図柄40が臨む表示窓50を有する。
【００４１】
上記表示窓50には、図１に示すように、大別すると、次の３個の第１〜第３窓51〜53から構成されている。
（１）第１窓51
第１窓51には、図１に示すように、第１回転リール31が臨んでいる。
（２）第２窓52
第２窓52には、図１に示すように、第２回転リール32が臨んでいる。
【００４２】
（３）第３窓53
第３窓52には、図１に示すように、第３回転リール32が臨んでいる。
なお、表示窓50は、３個の第１〜第３窓51〜53から構成したが、全体として１個でも良い。
（図柄表示領域60）
上記表示窓50には、図１に示すように、少なくともｎ行ｍ列の図柄表示領域60を有する。
【００４３】
上記ｎ行は、図１に示すように、４行である。
なお、ｎ行は、４行に限らず、５行以上でも良い。
前記ｍ列は、図１に示すように、３列である。
なお、ｍ列は、３列に限らず、４列以上でも良い。
図柄表示領域60は、図１に示すように、大別すると、次の３列の第１列目〜第３列目の図柄表示領域61〜63から構成されている。
【００４４】
（１）第１列目の図柄表示領域61
第１列目の図柄表示領域61は、図１に示すように、第１窓51に一致し、第１回転リール31の４個の図柄40が臨む。
第１列目の図柄表示領域61には、図１に示すように、第１行目に位置する第１領域１と、第２行目に位置する第２領域２と、第３行目に位置する第３領域３と、第４行目に位置する第４領域４との計４個の領域を有する。
【００４５】
（２）第２列目の図柄表示領域62
第２列目の図柄表示領域62は、図１に示すように、第２窓52に一致し、第２回転リール32の４個の図柄40が臨む。
第２列目の図柄表示領域62には、図１に示すように、第１行目に位置する第５領域５と、第２行目に位置する第６領域６と、第３行目に位置する第７領域７と、第４行目に位置する第８領域８との計４個の領域を有する。
【００４６】
（３）第３列目の図柄表示領域63
第３列目の図柄表示領域63は、図１に示すように、第３窓53に一致し、第３回転リール33の４個の図柄40が臨む。
第３列目の図柄表示領域63には、図１に示すように、第１行目に位置する第９領域９と、第２行目に位置する第１０領域10と、第３行目に位置する第１１領域11と、第４行目に位置する第１２領域12との計４個の領域を有する。
【００４７】
したがって、図柄表示領域60は、図１に示すように、全体では、計１２個の領域１〜12を有する。
（ライン71〜76）
前記表示窓50には、図１に示すように、次の７本の第１〜第７ライン71〜77が表示されている。
【００４８】
なお、ライン71〜77は、直線的に連続していても良いし、間欠的に連続していても良い。また、ライン71〜77は、常時表示されている場合に限らず、有効となったラインを、一時的に表示するようにしても良い。
一方、図１には、７本の第１〜第７ライン71〜77のほかに、第８ライン78を点線で表示しているが、当該第８ライン78は、本発明の実施の形態の説明のための、仮想のラインを示し、実際には表示窓50に表示されていない。
【００４９】
（１）第１ライン71
第１ライン71は、図１に示すように、第３、第７、第１１領域3,7,11を横切っている。
（２）第２ライン72
第２ライン72は、図１に示すように、第２、第６、第１０領域2,6,10を横切っている。
【００５０】
（３）第３ライン73
第３ライン73は、図１に示すように、第４、第８、第１２領域4,8,12を横切っている。
（４）第４ライン74
第４ライン74は、図１に示すように、第１、第６、第１１領域1,6,11を横切っている。
【００５１】
（５）第５ライン75
第５ライン75は、図１に示すように、第２、第７、第１２領域2,7,12を横切っている。
（６）第６ライン76
第６ライン76は、図１に示すように、第３、第６、第９領域3,6,9を横切っている。
【００５２】
（７）第７ライン77
第７ライン77は、図１に示すように、第４、第７、第１０領域4,7,10を横切っている。
（８）第８ライン78
第８ライン78は、図１に示すように、第１、第５、第９領域1,5,9を横切っている。
【００５３】
上記第８ライン78は、先に説明したように、本発明の実施の形態の説明のための、仮想のラインを示し、実際には表示窓50に表示されていない。このため、他のライン71〜77と区別するため、図１に示すように、点線で表示している。
そして、第８ライン78には、リーチ図柄を表示するようにしている。
なお、リーチ図柄を表示するラインは、第８ライン78の位置に限定されず、他の７本の第１〜第７ライン71〜77の無い位置に、例えば山形、谷形、Ｖ字形、Ｌ字形に設定しても良い。
【００５４】
上記リーチ図柄として、例えばビッグボーナス図柄や、レギュラーボーナス図柄、いわゆるリプレー図柄等を表示する。
なお、リーチ図柄は、例えばビッグボーナス図柄、レギュラーボーナス図柄、リプレー図柄に限らない。
上記リーチ図柄の表示は、次回のゲームに、いわゆるビッグボーナス図柄や、いわゆるレギュラーボーナス図柄が揃う確率が高いことを意味し、次回のゲームにビッグボーナス図柄やレギュラーボーナス図柄が必ず揃うことを意味するわけではない。また、リーチ図柄は、抽選の結果、ビッグボーナスやレギュラーボーナスのフラグが成立した場合に表示されることが多いが、フラグの成立とは必ずしも一致するものではない。
【００５５】
さらに、リーチ図柄は、第８ライン78に毎ゲーム毎に表示しても良いが、一般的には、当該ゲームにおいてリーチ図柄を表示するか否かを乱数の抽選により決定している。
（有効ランプ81〜87）
前記７本のライン71〜76の端部には、図１に示すように、例えばＬＥＤ等の次の７個の第１〜第７の有効ランプ81〜87を設けている。
【００５６】
（１）第１の有効ランプ81
第１の有効ランプ81は、図１に示すように、第１ライン71の左端に位置する。
（２）第２の有効ランプ82
第２の有効ランプ82は、図１に示すように、第２ライン72の左端に位置する。
（３）第３の有効ランプ83
第３の有効ランプ83は、図１に示すように、第３ライン73の左端に位置する。
【００５７】
（４）第４の有効ランプ84
第４の有効ランプ84は、図１に示すように、第４ライン74の左端に位置する。
（５）第５の有効ランプ85
第５の有効ランプ85は、図１に示すように、第５ライン75の左端に位置する。
（６）第６の有効ランプ86
第６の有効ランプ86は、図１に示すように、第６ライン76の左端に位置する。
【００５８】
（７）第７の有効ランプ87
第７の有効ランプ87は、図１に示すように、第７ライン77の左端に位置する。
なお、有効ランプ81〜87を、各ライン71〜76の左端に位置させたが、これに限らず、右端に位置させたり、両端に位置させたり、或いはライン71〜76自体を直接、光らせても良い。また、有効ランプ81〜87を、ＬＥＤから構成したが、これに限らず、電球等の他の発光源より構成しても良い。
（遊技方法）
上記した構成を有するスロットマシン20の遊技方法は、次の通りである。
【００５９】
まず、スロットマシン20内に、図示しないが、１枚のメダルを投入すると、図２に示すように、第１ライン71の１本のラインが有効となり、第１の有効ランプ81が点灯する。
なお、メダルの投入は、機内にクレジットされているクレジットメダルを投入しても良い。
【００６０】
また、本実施の形態では、１本の第１ライン71を有効としたが、他のラインを有効としたり、或いは複数本のラインを有効としても良い。この状態で、図示しないが、スタートスイッチを操作することで、プレーが可能になる。
つぎに、２枚のメダルを投入すると、図３に示すように、第１〜第３ライン71〜73の計３本のラインが有効となり、第１〜第３の有効ランプ81〜83が点灯する。
【００６１】
なお、本実施の形態では、３本の第１〜第３ライン71〜73を有効としたが、他の３本のラインを有効としたり、或いは２本や、４本以上のラインを有効としても良い。この状態でも、プレーが可能である。
さらに、３枚のメダルを投入すると、図１に示すように、第１〜第７ライン71〜77の計７本のラインの全てが有効となり、又、第１〜第７の有効ランプ81〜87が全て点灯する。
【００６２】
１〜３枚のメダル投入後、図示しないが、スタートスイッチを操作すると、第１〜第３回転リール31〜33が一斉に回転を開始する。
その後、図示しないが、ストップスイッチを操作すると、第１〜第３回転リール31〜33が停止する。ストップスイッチは、回転リール31〜33の数に等しく３個設けられ、各ストップスイッチを操作すると、対応する回転リール31〜33が個別に停止する。
【００６３】
最終的に３個全ての回転リール31〜33が停止すると、回転リール31〜33の各図柄40が、第１〜第１２領域１〜12に停止表示される。
そして、有効になったライン71〜77上に、あらかじめ設定された図柄40が揃うと、入賞となる。その結果、賞としてメダルが排出されたり、ビッグボーナスゲームやレギュラーボーナスゲーム等の別遊技が開始される。なお、例えばチェリー等の単独入賞図柄の場合には、有効になったライン71〜77上に１個や２個停止表示されることで、入賞となる。
【００６４】
入賞図柄が揃うち、当該ライン71〜77に対応する有効ランプ81〜86が点滅して、入賞図柄が揃ったライン71〜77を遊技者にわかり易く表示する。
一方、全て回転リール31〜33が停止した際に、第８ライン78にリーチ図柄が表示される場合がある。
第８ライン78にリーチ図柄が表示されると、次回のゲームに、いわゆるビッグボーナス図柄や、いわゆるレギュラーボーナス図柄が揃う確率が高いことを意味する。
（第２の実施の形態）
図４は、本発明の第２の実施の形態を示すものである。
【００６５】
本実施の形態では、図１に示す第８ライン78に相当する位置に、図４に示すように、フィルター90を臨ませている。
上記フィルター90は、表示窓50に臨み、リーチ図柄を他の図柄と異なる色で表示するためのものである。
本実施の形態では、フィルター90により、リーチ図柄をわかり易く表示することができる。
（第３の実施の形態）
図５は、本発明の第３の実施の形態を示すものである。
【００６６】
本実施の形態では、次の２つの点を特徴とする。
第１に、図１に示す計１２個の領域1〜12に加え、図５に示すように、次の計３個の領域13〜15を設けている。
（１）第１３領域13
第１３領域13は、図５に示すように、第２領域２の上方又は第４領域４の下方のいずれか一方、本実施の形態では、第１領域１の上方に位置させている。
【００６７】
上記第１３領域13は、図５に示すように、第１回転リール31の図柄40の少なくとも一部が見えるようにしている。
なお、本実施の形態では、図５に示すように、第１３領域13に図柄40の２／３程度を見えるようにしたが、これに限らず、図柄40全体が見えるようにしても良い。
【００６８】
（２）第１４領域14
第１４領域14は、図５に示すように、第６領域６の上方又は第８領域８の下方のいずれか一方、実施の形態では、第５領域５の上方に位置させている。
上記第１４領域14は、図５に示すように、第２回転リール32の図柄40の少なくとも一部が見えるようにしている。
【００６９】
なお、本実施の形態では、図５に示すように、第１４領域14に図柄40の２／３程度を見えるようにしたが、これに限らず、図柄40全体が見えるようにしても良い。
（３）第１５領域15
第１５領域15は、図５に示すように、第１０領域10の上方又は第１２領域12の下方のいずれか一方、実施の形態では、第９領域９の上方に位置させている。
【００７０】
上記第１５領域15は、図５に示すように、第３回転リール33の図柄40の少なくとも一部が見える。
なお、本実施の形態では、図５に示すように、第１５領域15に図柄40の２／３程度を見えるようにしたが、これに限らず、図柄40全体が見えるようにしても良い。
【００７１】
第２に、新たに設けた計３個の領域13〜15に、リーチ図柄を表示するようにしている。
本実施の形態によれば、ライン71〜77を避けて、リーチ図柄をわかり易く表示することができる。
（第４の実施の形態）
図６は、本発明の第２の実施の形態を示すものである。
【００７２】
本実施の形態では、図６に示す新たに設けた計３個の領域13〜15に、図４に示すように、フィルター90を臨ませている。
上記フィルター90は、表示窓50に臨み、リーチ図柄を他の図柄と異なる色で表示するためのものである。
本実施の形態では、フィルター90により、リーチ図柄をわかり易く表示することができる。
【００７３】
【発明の効果】
本発明は、以上のように構成されているので、以下に記載されるような効果を奏する。
（請求項１）
請求項１に記載の発明によれば、次のような効果を奏する。
【００７４】
すなわち、請求項１に記載の発明によれば、リーチ図柄をわかり易く表示することができる。
また、フィルターを使用して、リーチ図柄をわかり易く表示することができる。
（請求項２）
請求項２に記載の発明によれば、次のような効果を奏する。
すなわち、請求項２に記載の発明によれば、リーチ図柄の一部を表示窓に表示させることで、リーチ図柄をわかり易く表示することができる。
また、フィルターを使用して、リーチ図柄をわかり易く表示することができる。
【００７５】
【図面の簡単な説明】
【図１】  メダルを３枚投入した状態を示し、スロットマシンの表示窓を示す正面図である。
【図２】  図１に対応し、メダルを１枚投入した状態を示し、スロットマシンの表示窓を示す正面図である。
【図３】  図１に対応し、図３はメダルを２枚投入した状態を示し、スロットマシンの表示窓を示す正面図である。
【図４】  本発明の第２実施の形態の一例を示し、スロットマシンの表示窓を示す正面図である。
【図５】  本発明の第３実施の形態の一例を示し、スロットマシンの表示窓を示す正面図である。
【図６】  本発明の第４実施の形態の一例を示し、スロットマシンの表示窓を示す正面図である。
【符号の説明】
１  第１領域        ２  第２領域
３  第３領域        ４  第４領域
５  第５領域        ６  第６領域
７  第７領域        ８  第８領域
９  第９領域        10  第１０領域
11  第１１領域      12  第１２領域
13  第１３領域      14  第１４領域
15  第１５領域      20  スロットマシン
31  第１回転リール  32  第２回転リール
33  第３回転リール  40  図柄
50  表示窓          51  第１窓
52  第２窓          53  第３窓
60  図柄表示領域    61  第１列目の図柄表示領域
62  第２列目の図柄表示領域  63  第３列目の図柄表示領域
71  第１ライン      72  第２ライン
73  第３ライン      74  第４ライン
75  第５ライン      76  第６ライン
77  第７ライン      78  第８ライン
81  第１有効ランプ  82  第２有効ランプ
83  第３有効ランプ  84  第４有効ランプ
85  第５有効ランプ  86  第６有効ランプ
87  第７有効ランプ  90  フィルター
【図１】
0004208306.tif 000002
【図２】
0004208306.tif 000003
【図３】
0004208306.tif 000004
【図４】
0004208306.tif 000005
【図５】
0004208306.tif 000006
【図６】
0004208306.tif 000007